(57)【要約】      （修正有）【課題】不正な開封を防止する容器であって、特に一旦開封すると蓋体に突設したつまみ片或は蓋体の外表面に引裂用の切目の痕跡が表示されるプラスチック製の容器を提供する。【解決手段】開口上縁に鍔２を有する身容器１と、該鍔２を嵌入係止し得るリング凹溝４を有する蓋体３とよりなるプラスチック製容器に於て、前記蓋体３のリング凹溝４の外周の一部につまみ片５を突設し、かつ該つまみ片５を引張った際に、該つまみ片５の取付付近に切目６が形成されるように構成してなる不正開封防止容器である。【選択図】図３
0003114730.tif 000002
【実用新案登録請求の範囲】
【請求項１】
開口上縁に鍔を有する身容器と、該鍔が嵌入係止し得るリング凹溝を有する蓋体とよりなるプラスチック容器に於て、前記蓋体のリング凹溝の外周の一部につまみ片を一体的に突設して構成したことを特徴とした不正開封防止容器。
【請求項２】
前記身容器に被蓋された蓋体をつまみ片を持って強制的に開封する際に、該つまみ片或は該つまみ片が接続する蓋体のリング凹溝の外周面に引裂傷が表示されるように構成したことを特徴とした請求項１の不正開封防止容器。
【請求項３】
前記蓋体のつまみ片の根本部或は該つまみ片が接続する蓋体のリング凹溝の外周またはその両方にＶノッテ、切線等の切目を設けて構成したことを特徴とした請求項１或は請求項２の不正開封防止容器。
【請求項４】
前記蓋体を一軸延伸プラスチックシートで形成し、かつ前記蓋体のリング凹溝の外周に突設されたつまみ片の突出方向と蓋体を形成するプラスチックシートの延伸方向とを合致させて構成したことを特徴とした請求項１乃至請求項３の不正開封防止容器。
【考案の詳細な説明】
【技術分野】
【０００１】
本考案は一旦開封した場合には、蓋体の外周面にその痕跡が表示されるプラスチック容器に係り、特に身容器と蓋体とよりなるプラスチック容器に於て、蓋体の外周につまみ片を突設して構成し、該つまみ片を持って開封した際に該つまみ片或はその周りの蓋体の外周面に開封による痕跡が表示されるようにした不正開封防止容器に関するものである。
【背景技術】
【０００２】
この種のプラスチック容器で形成された不正開封防止容器の公知例としては、例えば、特開平３−１４４６５号公報（特許文献１）、或は特開平４−２１５９６９号公報（特許文献２）等が知られている。
【０００３】
前記特許文献１の技術は、身容器と蓋体とより構成されるプラスチック容器に於て、該蓋体の上面にリングを取付け、かつこのリングの一部に切れ目線によってリングを切断することが出来るタブを突設し、蓋体の開封に当っては、タブを引張ってリングを切断することによって蓋体を身容器より除去するようにした不正開封防止容器の技術である。
【０００４】
前記特許文献２の技術は、容器の開口部に被蓋された蓋体の上面から容器の外周面に亘って、容器とは色の異なる帯状のタブを貼着し、蓋体の開封に当っては、該帯状のタブを切断して蓋体を開封除去するようにした不正開封防止容器に関する技術である。
【０００５】
【特許文献１】特開平３−１４４６５号公報
【特許文献２】特開平４−２１５９６９号公報
【考案の開示】
【考案が解決しようとする課題】
【０００６】
前述の特許文献１或は特許文献２に記載された技術は、いずれも不正開封を防止するために、身容器と蓋体の外に、特別のタブ付のリング或は色の異なる帯状のタブを別に用意し、身容器の開口部に蓋体を被蓋した際に、これ等のリング或は帯状のタブを蓋体或は蓋体が被蓋された身容器に渡って取付けなければならないので、構造が複雑になり、製造コストが高価になる問題があった。
【０００７】
本考案に係る不正開封防止容器は、前述の従来の問題点に鑑み開発された全く新しい考案であって、特に蓋体の一部につまみ片を突設し、このつまみ片を持って蓋体を身容器より開封除去した際に、つまみ片或はそのつまみ片の周りに開封した際の痕跡が表示されるようにした技術を提供するものである。
【課題を解決するための手段】
【０００８】
本考案に係る不正開封防止容器は、前述の従来の問題点を根本的に改善した考案であって、その第１考案の構成は、開口上縁に鍔を有する身容器と、該鍔が嵌入係止し得るリング凹溝を有する蓋体とよりなるプラスチック容器に於て、前記蓋体のリング凹溝の外周の一部につまみ片を一体的に突設して構成したことを特徴とした不正開封防止容器である。
【０００９】
また、本考案に係る不正開封防止容器の第２考案の構成は、前記身容器に被蓋された蓋体をつまみ片を持って強制的に開封する際に、該つまみ片或は該つまみ片が接続する蓋体のリング凹溝の外周面に引裂傷が表示されるように構成したことを特徴とした第１考案の不正開封防止容器である。
【００１０】
また、本考案に係る不正開封防止容器の第３考案の構成は、前記蓋体のつまみ片の根本部或は該つまみ片が接続する蓋体のリング凹溝の外周またはその両方にＶノッテ、切線等の切目を設けて構成したことを特徴とした第１考案或は第２考案の不正開封防止容器である。
【００１１】
さらに、本考案に係る不正開封防止容器の第４考案の構成は、前記蓋体を一軸延伸プラスチックシートで形成し、かつ前記蓋体のリング凹溝の外周に突設されたつまみ片の突出方向と蓋体を形成するプラスチックシートの延伸方向とを合致させて構成したことを特徴とした第１考案乃至第３考案の不正開封防止容器である。
【考案の効果】
【００１２】
前記第１考案に於ては、身容器の開口上縁に設けた鍔が蓋体のリング凹溝に嵌入係止するように形成すると共に、該リング凹溝の外周の一部につまみ片を一体的に突設したので、該つまみ片を持って蓋体を上方或は横方向に引張ることによって身容器の開口部より蓋体を取り外すことが出来る。
【００１３】
前記第１考案に於ては、前記つまみ片が蓋体の一部に一体的に取付けられているので、前述の特許文献１或は特許文献２に比較して構造が極めて簡単であり、取扱いが便利でコストを安価にすることが出来る。
【００１４】
前記第２考案に於ては、身容器に被蓋された蓋体をつまみ片を持って強制的に開封する際に、つまみ片或は該つまみ片が接続する蓋体のリング凹溝の外周面に引裂傷が表示されるように構成したので、一旦蓋体を開封した場合には、必然的に引裂傷の痕跡が蓋体の外周に表示されるので、これによって不正使用を防止することが出来る。
【００１５】
前記第３考案に於ては、蓋体のつまみ片の根本部或はつまみ片が接続する蓋体のリング凹溝の外周または両方にＶノッテ、切線等の切目を設けて構成したので、つまみ片を引張って蓋体を開封した際には、より明確に引裂の痕跡をつまみ片或は蓋体に残すことが出来る。
【００１６】
前記第４考案に於ては、一軸延伸プラスチックシートを用いて蓋体を成形すると共に、蓋体に突設されたつまみ片の方向をシートの延伸方向に合致させたので、蓋体の開封の際につまみ片を持って蓋体を引張った場合には、つまみ片の付根部分につまみ片の巾に対応した引裂用の切目を設けることが出来る。
【考案を実施するための最良の形態】
【００１７】
図により本考案に係る不正開封防止容器の一実施例を具体的に説明すると、図１は本考案の容器の構成を示す斜視図、図２は図１の容器を身容器と蓋体とに分離した説明図、図３は蓋体を身容器から取り外す状態の説明図である。
【００１８】
図４はつまみ片の根本部にＶノッテを設けた説明図、図５はつまみ片の取付部に切線を設けた説明図、図６は蓋体が一軸延伸プラスチックシートで形成されていることを示す説明図、図７は他例のつまみ片の形状を示す説明図である。
【００１９】
図１及び図２に於て、１はプラスチックシートをバキューム成形した身容器であって、その開口部上縁には鍔２が設けられている。３は前記身容器１に被蓋し得るプラスチックシートをバキューム成形した蓋体であって、その周辺部には、前記鍔２が嵌入係止し得る下向きのリング凹溝４が設けられている。このリング凹溝４の外周にはつまみ片５が一体的に突設されている。
【００２０】
この鍔２とリング凹溝４との関係は、鍔２を一旦リング凹溝４内に嵌入した際は、前記つまみ片５が無ければ、人力のみでは蓋体３を身容器１より取り外すことが極めて困難なように構成されている。
【００２１】
図３に於ては、つまみ片５を指先で持って、身容器１より蓋体３を取り外す状態を示している。つまみ片５は上方或は横方向に強く引張らなければならないので、蓋体３を一旦開封した場合には、つまみ片５の取付部の周りのリング凹溝４には引裂用の切目６が痕跡として設けられている。
【００２２】
図４に於ては、つまみ片５の両側の根本部には夫々Ｖノッテ７が穿設されている。このＶノッテ７を設けることによってつまみ片５を引張った際に、つまみ片５の根本部を簡単に引裂くことが出来るように構成されている。
【００２３】
図５に於ては、つまみ片５の取付部の両側のリング凹溝４に予め切線８が穿設されており、この切線８を設けることによって、つまみ片５を引張った際にリング凹溝４を簡単に引裂き、開封した痕跡をより大きく残すことが出来るように構成されている。
【００２４】
図６に於ては、前記蓋体３が一軸延伸プラスチックシートで成形されており、かつ蓋体３に突設されたつまみ片５の突出方向がプラスチックシートの延伸方向と合致するように構成されている。
【００２５】
従って、図６の実施例に於ては、蓋体３を開封するためにつまみ片５を持って上方に引張った場合には、つまみ片５の横巾に沿って蓋体３のリング凹溝４を引裂くことが出来るように構成されている。
【００２６】
上記実施例に於ては、いずれの実施例に於ても、蓋体３の開封に当ってはつまみ片５を持って引張るので、つまみ片５が接続されているリング凹溝４の一部が引裂かれて、この部分に切目６が形成され、かつこの切目６の作用でリング凹溝４の内径が大きくなるので、鍔２からリング凹溝４を抜き取り、蓋体３を身容器１から簡単に取り外して開口することが出来る。
【００２７】
前述の実施例に於ては、根本部と先端部とがほぼ同一巾のつまみ片５について説明したが、図７に示す如く、根本部が巾広で先端部が巾狭に形成された特殊な形状を持ったつまみ片９を用いることも可能である。この場合にはつまみ片９を横方向に強く引張ることによって蓋体４を開封することが出来る。
【産業上の利用可能性】
【００２８】
本考案の不正開封防止容器の技術は、プラスチック製容器のみならず紙製容器の技術にも応用することが出来る。
【図面の簡単な説明】
【００２９】
【図１】本考案の容器の構成を示す斜視図である。
【図２】図１の容器を身容器と蓋体とに分離した説明図である。
【図３】蓋体を身容器から取り外す状態の説明図である。
【図４】つまみ片の根本部にＶノッテを設けた説明図である。
【図５】つまみ片の取付部に切線を設けた説明図
【図６】蓋体が一軸延伸プラスチックシートで形成されていることを示す説明図である。
【図７】他例のつまみ片の形状を示す説明図である。
【符号の説明】
【００３０】
１      ・・・身容器
２      ・・・鍔
３      ・・・蓋体
４      ・・・リング凹溝
５      ・・・つまみ片
６      ・・・切目
７      ・・・Ｖノッテ７
８      ・・・切線 
【図１】
0003114730.tif 000003
【図２】
0003114730.tif 000004
【図３】
0003114730.tif 000005
【図４】
0003114730.tif 000006
【図５】
0003114730.tif 000007
【図６】
0003114730.tif 000008
【図７】
0003114730.tif 000009